(57)【要約】【課題】映像信号のエンファシス処理及びクリッピング処理により電子透かしデータが消去されないように電子透かしデータを埋め込むことができる映像信号処理装置、及び、この電子透かしデータを抽出することができる電子透かし抽出装置を提供する。【解決手段】映像信号処理装置は、映像信号のデジタル化された輝度信号のトランジェント部を検出するトランジェント判定回路１０と、検出されたトランジェント部以外の映像領域に対し、電子透かし技術により電子透かしデータを埋め込む電子透かし重畳手段８とを有し、電子透かし抽出装置は、電子透かしデータが埋め込まれた重畳映像信号のデジタル化された輝度信号のトランジェント部を検出するトランジェント判定回路と、検出されたトランジェント部以外の映像領域から、電子透かし技術により電子透かしデータの抽出を行う電子透かし抽出回路とを有している。【選択図】        図１
2006229795.tif 000002
【特許請求の範囲】
【請求項１】
映像信号のデジタル化された輝度信号のトランジェント部を検出するトランジェント判定手段と、
前記検出されたトランジェント部以外の映像領域に対し、電子透かし技術により電子透かしデータを埋め込む電子透かし重畳手段と
を有することを特徴とする映像信号処理装置。
【請求項２】
前記検出されたトランジェント部以外の映像領域は、前記輝度信号の閾値処理において、クリッピング処理を受けると判断された領域以外の領域であることを特徴とする請求項１に記載の映像信号処理装置。
【請求項３】
前記検出されたトランジェント部以外の映像領域は、前記輝度信号の閾値処理において、クリッピング処理を受けると判断された領域及びその近傍領域以外の領域であることを特徴とする請求項１に記載の映像信号処理装置。
【請求項４】
前記デジタル化された輝度信号にエンファシス処理を施すエンファシス手段をさらに有し、
前記トランジェント判定手段による前記トランジェント部の検出は、前記エンファシス処理を施された輝度信号に対して行われる
ことを特徴とする請求項１から３までのいずれかに記載の映像信号処理装置。
【請求項５】
電子透かしデータが埋め込まれた重畳映像信号のデジタル化された輝度信号のトランジェント部を検出するトランジェント判定手段と、
前記検出されたトランジェント部以外の映像領域から、電子透かし技術により電子透かしデータの抽出を行う電子透かし抽出手段と
を有することを特徴とする電子透かし抽出装置。
【請求項６】
前記検出されたトランジェント部以外の映像領域は、前記輝度信号の閾値処理において、クリッピング処理を受けると判断された領域以外の領域であることを特徴とする請求項５に記載の電子透かし抽出装置。
【請求項７】
前記検出されたトランジェント部以外の映像領域は、前記輝度信号の閾値処理において、クリッピング処理を受けると判断された領域及びその近傍領域以外の領域であることを特徴とする請求項５に記載の電子透かし抽出装置。
【請求項８】
前記デジタル化された輝度信号にエンファシス処理を施すエンファシス手段をさらに有し、
前記トランジェント判定手段による前記トランジェント部の検出は、前記エンファシス処理を施された輝度信号に対して行われる
ことを特徴とする請求項５から７までのいずれかに記載の電子透かし抽出装置。
【発明の詳細な説明】
【技術分野】
【０００１】
本発明は、映像信号に著作権データなどの電子透かしデータを重畳する映像信号処理装置、及び、電子透かしデータが埋め込まれた重畳映像信号から電子透かしデータを抽出する電子透かし抽出装置に関するものである。
【背景技術】
【０００２】
電子透かし技術では、例えば、著作権データなどを人間が知覚できない程度の微小なデータ（電子透かしデータ）として映像信号に重畳する（埋め込む）ことが可能である。電子透かしデータが著作権データであれば、映像信号がコピーされたコンテンツの流出元を特定できる。なお、本出願においては、電子透かしが埋め込まれた映像データを「重畳された映像信号データ」と言う。しかし、電子透かしでは、微小なデータを映像信号そのものに重畳しているため、例えば、映像コンテンツをアナログＶＴＲなどでダビングした場合は、ダビングに伴う映像の歪は大きいため、重畳された電子透かしデータは、失われやすくなる傾向にある。
【０００３】
この改善策として、アナログＶＴＲで記録する場合に、歪を検知するための基準信号を映像信号のオーバースキャン領域に記録し、その基準信号に基づいて補正を行い、電子透かしデータを抽出するように構成する提案がある（例えば、特許文献１参照）。しかし、アナログＶＴＲでは、信号処理回路を用いて、テープ上にＦＭ記録を行うため、ＦＭ伝送特有の高周波領域ほど三角ノイズと称される特徴的なノイズが多く現れる。これは、映像信号帯域の広い輝度信号にとっては、大きな問題となる。
【０００４】
この問題を回避するため、テープ記録の前処理として、高周波領域のゲインを高くして、記録再生によって混入されるノイズによる映像信号に対する影響を小さくする、エンファシスと呼ばれる信号処理を行うことがある。しかし、このエンファシスを行った場合には、広域の周波数分布を持つ映像信号の立上り部分や立下り部分では、振幅が大きくなり過ぎてしまい、記録再生においてＦＭの過変調を起こしやすくなり、テープ劣化によっては、映像上に黒く又は白く尾を引くようなノイズが現れやすくなる。これを防ぐために、エンファシス後の波形に一定閾値外の信号成分がなくなるようにクリッピングをかけて、ＦＭ変調を行うように信号処理が施されている。
【０００５】
【特許文献１】特開平１１−１４６３４２号公報
【発明の開示】
【発明が解決しようとする課題】
【０００６】
しかし、クリッピング処理によって、一定閾値外のレベルであると判断された箇所は、非線形処理によりレベル制限されてしまうため、電子透かしデータとして重畳される微小な重畳信号は、全く残存することができず、消去されてしまうことになる。このため、特許文献１に記載されているように、基準信号に基づいて補正したとしても、クリッピング処理が施される映像箇所からは、微小信号が抽出できず、重畳したデータが正しく抽出できなくなる場合がるという問題があった。
【０００７】
そこで、本発明は、上記したような従来技術の課題を解決するためになされたものであり、その目的は、映像信号のエンファシス処理及びクリッピング処理により電子透かしデータが消去されないように電子透かしデータを埋め込むことができる映像信号処理装置、及び、この映像信号処理装置で埋め込まれた電子透かしデータを抽出することができる電子透かし抽出装置を提供することにある。
【課題を解決するための手段】
【０００８】
本発明の映像信号処理装置は、映像信号のデジタル化された輝度信号のトランジェント部を検出するトランジェント判定手段と、前記検出されたトランジェント部以外の映像領域に対し、電子透かし技術により電子透かしデータを埋め込む電子透かし重畳手段とを有することを特徴としている。
【０００９】
本発明の電子透かし抽出装置は、電子透かしデータが埋め込まれた重畳映像信号のデジタル化された輝度信号のトランジェント部を検出するトランジェント判定手段と、前記検出されたトランジェント部以外の映像領域から、電子透かし技術により電子透かしデータの抽出を行う電子透かし抽出手段とを有することを特徴としている。
【発明の効果】
【００１０】
本発明の映像信号処理装置によれば、ＶＴＲによるダビングの際に、トランジェント部以外の映像領域に対し、電子透かしデータを重畳することができるので、クリッピング処理により電子透かしデータが消失することはなく、電子透かしデータを忠実に再現することが可能になるという効果がある。また、本発明の電子透かし抽出装置によれば、クリッピング処理が施されたであろう映像箇所を予め検出し、それ以外の箇所から埋め込まれた電子透かしデータを抽出するように構成しているので、電子透かしデータを再現することが可能になるという効果がある。
【発明を実施するための最良の形態】
【００１１】
実施の形態１．
図１は、本発明の実施の形態１に係る映像信号処理装置の構成を概略的に示すブロック図である。
【００１２】
図１に示されるように、実施の形態１に係る映像信号処理装置は、映像信号から分離された輝度（Ｙ）信号が入力されるＹ信号入力端子１と、映像信号から分離された色（Ｃ）信号が入力されるＣ信号入力端子２と、Ｙ信号入力端子１から入力されたＹ信号をデジタル化するＡ／Ｄ（アナログ／デジタル）変換器３とを備えている。また、実施の形態１に係る映像信号処理装置は、Ｃ信号入力端子２から入力されたＣ信号を直交ＡＭ（振幅）復調して、Ｃ信号をＲ−Ｙ信号（赤色差信号）とＢ−Ｙ信号（青色差信号）に変換する復調器（Ｄｅｍ）４と、復調器４から出力されたＲ−Ｙ信号をデジタル化するＡ／Ｄ変換器５と、復調器４から出力されたＢ−Ｙ信号をデジタル化するＡ／Ｄ変換器６とを備えている。
【００１３】
また、実施の形態１に係る映像信号処理装置は、各コンポーネントに変換された映像信号（すなわち、Ｙ信号、Ｒ−Ｙ信号、Ｂ−Ｙ信号）に対して、ＶＴＲなどのアナログ記録を行う際に映像信号の特性（例えば、周波数特性、リニアリティ、及びタイミングの補正など）を検出する特性検出回路７と、この特性検出回路７によって、映像の領域で高周波成分が多い領域などを抽出して、その領域に対して、電子透かしデータを重畳する電子透かし重畳回路８と、映像信号データを出力する映像信号データ出力端子１１とを備えている。
【００１４】
さらに、実施の形態１に係る映像信号処理装置は、Ａ／Ｄ変換器３から出力されたＹ信号の立上り部分及び立下り部分が、より強調され、もとのレベルより大きいものとする処理であるエンファシスを施すエンファシス回路９と、輝度信号のトランジェント部を検出するトランジェント判定回路１０とを備えている。
【００１５】
実施の形態１に係る映像信号処理装置においては、電子透かしデータが重畳された映像信号をＹ信号（輝度信号）入力端子１とＣ信号入力端子２から入力し、輝度信号をＡ／Ｄ変換器３によってデジタル化する一方、Ｃ信号を直交ＡＭ復調する復調器４によって変換してＲ−Ｙ信号及びＢ−Ｙ信号の各コンポーネントに変換して、それぞれの色差信号をＡ／Ｄ変換器５，６によってデジタル化する。そして、各コンポーネントに変換して、ＶＴＲなどのアナログ記録を行う際に、映像信号の特性を検出する特性検出回路７によって、映像の領域で高周波成分が多い領域などの抽出をする。電子透かし重畳回路８によって、その抽出された領域に対して、著作権データなどの電子透かしデータを映像信号に重畳し、コンポーネント化した際の処理と逆の処理により、映像信号を変換し、変換された映像信号データを映像信号データ出力端子１１より出力し、アナログＶＴＲに記録する。
【００１６】
このような処理において、アナログＶＴＲでは、前述のように、抵抗とコンデンサの電子部品（ＬＳＩに内蔵されている場合もある。）によってエンファシス処理が施される。このエンファシス処理後、ある一定以上のレベルをカットするクリッピング処理が行われてＦＭ変調され、テープ媒体に記録される。
【００１７】
図２（ａ）及び（ｂ）は、エンファシス処理及びクリッピング処理を説明するための波形図である。図２（ａ）に示されるような映像信号にエンファシス処理を施すと、図２（ｂ）に示されるように、映像信号の立上り部分及び立下り部分が、より強調され、もとのレベルより、突き出るような信号波形となる。これは、エンファシスが高周波数領域の周波数特性のゲインを０ｄＢよりも大きくしているためである。さらに、この波形の映像信号に対して、ＦＭ変調時の過変調を避けるために、ある一定以上のレベルの信号がそれ以上にならないように、レベルの制限のためのクリッピング処理を行う。映像の白側でレベル制限をかけるクリッピングレベルをホワイトクリップと言い、黒側でレベル制限をかけるクリッピングレベルをダーククリップと言う。このホワイトクリップ以上になる映像信号部分は、このホワイトクリップのレベルを超えないように映像信号が加工される。一方、ダーククリップ以下になる映像信号部分は、このダーククリップのレベルを下回らないように映像信号が加工される。映像信号の加工を行う場合において、もし、電子透かしデータのような微小な信号が重畳されている場合、このクリッピング処理により、平坦な信号になってしまうため、この重畳された信号が消失し、アナログＶＴＲの再生信号から電子透かしデータを抽出することが不可能になってしまう。たとえ、電子透かし抽出時に、ＶＴＲの記録再生の逆補正を行ったとしても、この部分の微小振幅の信号は抽出できない。
【００１８】
そこで、平坦な信号に加工される箇所を予め検出して、その箇所には、微小振幅信号を重畳しないように、映像信号を処理する。このため、平坦に加工される箇所を同定するため、コンポーネント化された輝度信号に対して、抵抗やコンデンサによって構成されるエンファシスと同じ周波数特性を持つデジタルフィルタであるエンファシス回路９によって輝度信号を変換する。このとき、デジタル化された輝度信号データのダイナミックレンジが大きくなるために、データのビット数を１ビット増やしておいて、計算を行う。このエンファシス回路９の具体的な回路構成例を図３に示す。図３において、１２及び１３は、単位時間遅延回路であり、１４は、加算器であり、１５は、減算器であり、１６，１７，及び１８は、係数器である。巡回型のデジタルフィルタを、図３のように構成することで、ＶＴＲと同様の周波数特性を持たせることができる。
【００１９】
図４（ａ）及び（ｂ）は、図３のデジタルフィルタの周波数特性を示す図である。図４（ａ）において、横軸は周波数（ＭＨｚ）を示し、縦軸はゲイン（ｄＢ）を示す。また、図４（ａ）において、各曲線は、上から順に、エンファシス周波数特性の上限カーブ、図３の回路で実現できる周波数特性、エンファシス周波数特性の下限カーブを示す。さらに、図４（ｂ）において、横軸は周波数（ＭＨｚ）を示し、縦軸は位相（−π（図では、−ＰＩ）ラジアンからπ（図では、ＰＩ）ラジアンまで）を示す。さらにまた、図４（ｂ）において、各曲線は、上から順に、エンファシス周波数特性の上限カーブ、図３の回路で実現できる周波数特性、エンファシス周波数特性の下限カーブを示す。図３に示されるような回路構成によってデジタルフィルタを構成し、輝度信号を加工した後、トランジェント判定回路１０により、輝度信号のどの部分がクリッピングされるかを抽出する。トランジェント判定回路１０は、エンファシス回路９によって加工された輝度信号がホワイトクリップ以上のレベルになっているか、又は、ダーククリップ以下のレベルになっているかを検出する。回路要素として、一般的によく知られているコンパレータなどを利用することによって、エンファシス回路９によって加工された輝度信号がホワイトクリップ以上のレベルになっているか、又は、ダーククリップ以下のレベルになっているかを検出することが可能である。
【００２０】
以上に説明したように、実施の形態１に係る映像信号処理装置によれば、例えば、図２（ｂ）に示されるようなホワイトクリップ以上になる箇所や、ダーククリップ以下になる箇所を同定できる。したがって、特性検出回路７の結果に基づき、電子透かし重畳回路８が著作権データなどの電子透かしデータを微小信号として重畳する際に、同定されたホワイトクリップ以上になる箇所及びダーククリップ以下になる箇所以外の箇所に（すなわち、トランジェント部以外の領域）に、図５に示すように、電子透かしデータである微小信号を重畳することができる。このため、その重畳映像信号をアナログＶＴＲで記録再生しても、非線形処理されるトランジェント部には、電子透かしデータがないため、図５に破線で示すような閾値を用いれば、その微小信号を確実に検出することができ、電子透かしデータを消失することがなくなるという効果を奏する。
【００２１】
なお、上記説明においては、映像信号処理装置をすべてＨ／Ｗ構成で実現する場合を記載したが、同様の処理を、ソフトウエア処理によって実行しても、同じ効果を奏する。その際には、回路という実態ではなく、処理モジュールという実態となる。例えば、エンファシスを行うエンファシス回路９の処理は、図３の回路の処理内容に相当する演算を、隣接サンプリングデータからソフトウエア上で行うことで、容易に実施できる。
【００２２】
また、Ａ／Ｄ変換とコンポーネント信号への変換の順序は、実施の形態１で説明された順序に限定されず、Ｙ信号とＣ信号をＡ／Ｄ変換器によってデジタル化したのち、デジタル処理によって、コンポーネント信号にしてもよい。
【００２３】
また、上記説明においては、映像信号処理装置の入力をＹ信号とＣ信号が別経路であるＳ端子のような場合を想定しているが、コンポジット信号を入力して輝度信号と色信号を分離するような輝度信号・色信号分理回路を有した構成にしても同様な効果を奏する。
【００２４】
実施の形態２．
実施の形態２の映像信号処理装置は、アナログＶＴＲの抵抗やコンデンサの特性ばらつきが若干あったときなどのために、ホワイトクリップのレベルより、数％下のレベルでコンパレートし、ダーククリップのレベルより、数％上のレベルでコンパレートする点が、上記実施の形態１の映像信号処理装置と相違する。実施の形態２の映像信号処理装置によれば、クリッピング処理の施されない部分をより確実に抽出することができる。これは、抽出したトランジェント部の判断領域を拡大することと等価であり、別の手法でも実現可能である。
【００２５】
実施の形態２の機能を実現するための、トランジェント判定回路の構成を、図６に示す。図６に示されるように、トランジェント判定回路は、ホワイトクリップ以上であるか、ダーククリップ以下であるかをコンパレートする閾値処理回路１９と、遅延器（Ｄｅｌａｙ）２０と、フリップフロップ（ＦＦ）２１とから構成される。
【００２６】
図７（ａ）から（ｄ）までは、実施の形態２のトランジェント部の拡大を行うためのゲート処理を説明する波形図である。図７（ａ）の波形のようなエンファシスの施された映像信号がこのトランジェント判定回路に入力されると、閾値処理回路１９は、ホワイトクリップ以上になる箇所で、Ｈｉｇｈレベルの信号を出力し、図７（ｂ）のような波形（図６の信号Ｊ）を出力する。さらに、図７（ｂ）のような波形の信号を遅延器２０に入力することで、τ（ｎｓｅｃ）時間だけ遅延された図７（ｃ）のような波形（図６の信号Ｋ）が出力される。図７（ｂ）の波形の信号と図７（ｃ）の波形の信号から、Ｊ−Ｋフリップフロップのような動作をするフリップフロップ２１に入力すると、トランジェントが抽出された箇所に対して、その範囲が拡大された図７（ｄ）の信号が得られる。これは、図７（ｄ）は、トランジェントから時間的に後方への拡大について述べているが、映像信号の側に近づくように、若干の遅延をさせれば、トランジェントの前後で、図７（ｄ）の波形がＨｉｇｈになるため、このような回路構成で、トランジェント部の拡大ができる。その結果、図８に破線で描かれたように、トランジェント（図８の実線領域）の周辺の領域（図８の破線で囲われた領域）まで拡大したトランジェント部の抽出が可能になる。
【００２７】
なお、実施の形態２において、上記以外の点は、上記実施の形態１の場合と同じである。
【００２８】
実施の形態３．
図１は、アナログＶＴＲに記録する前に、著作権データなどの電子透かしデータを重畳するための映像信号処理装置であるが、図９は、アナログＶＴＲに記録された映像信号から、著作権データなどの電子透かしデータを抽出するための映像信号処理装置である電子透かし抽出装置である。図１では、アナログＶＴＲにおいて、抵抗とコンデンサの電子部品（ＬＳＩに内蔵されている場合もある。）によるエンファシス処理と、ある一定以上のレベルをカットするクリッピング処理と実施されることにより、映像信号が平坦な信号になってしまう領域が存在する。このため、実施の形態１及び２の映像信号処理装置においては、エンファシス処理及びクリッピング処理が施される箇所を同定して、それ以外の箇所に電子透かしデータが重畳されるようになった。このため、エンファシス処理及びクリッピング処理が施される箇所を同定して、それ以外の箇所に電子透かしデータが重畳されるようにした場合の、電子透かしデータ抽出側の装置では、上記クリッピング処理が施された箇所を抽出して、電子透かしデータの埋め込まれている箇所を同定することによって、電子透かしデータを正確に抽出できるようになる。
【００２９】
通常、電子透かしデータが重畳された箇所を、電子透かしデータ以外の重畳位置を示す別データに基づいて検出するということが考えられるが、重畳位置を示す別データを入手できる保証はないため、重畳位置の別データを入手しなくとも、電子透かしデータが重畳された箇所を抽出できることが望ましい。この電子透かしデータが重畳された箇所を求めるために、実施の形態の電子透かし抽出装置は、図９に示されるようなブロック構成をとる。
【００３０】
図９に示されるように、実施の形態３に係る電子透かし抽出装置は、映像信号から分離された輝度（Ｙ）信号が入力されるＹ信号入力端子３１と、映像信号から分離された色（Ｃ）信号が入力されるＣ信号入力端子３２と、Ｙ信号入力端子３１から入力されたＹ信号をデジタル化するＡ／Ｄ（アナログ／デジタル）変換器３３とを備えている。また、実施の形態３に係る電子透かし抽出装置は、Ｃ信号入力端子３２から入力されたＣ信号を直交ＡＭ（振幅）復調して、Ｃ信号をＲ−Ｙ信号（赤色差信号）とＢ−Ｙ信号（青色差信号）に変換する復調器（Ｄｅｍ）３４と、復調器３４から出力されたＲ−Ｙ信号をデジタル化するＡ／Ｄ変換器３５と、復調器３４から出力されたＢ−Ｙ信号をデジタル化するＡ／Ｄ変換器３６とを備えている。
【００３１】
さらに、実施の形態３に係る電子透かし抽出装置は、各コンポーネントに変換された映像信号（すなわち、Ｙ信号、Ｒ−Ｙ信号、Ｂ−Ｙ信号）に対して、ＶＴＲなどのアナログ記録装置によって録画を行う際の画質劣化モデルに基づく特性補正（例えば、周波数特性、リニアリティ、及びタイミングの補正など）を行う特性補正回路３７と、特性補正されたＹ信号、Ｒ−Ｙ信号、Ｂ−Ｙ信号から電子透かしデータを抽出する電子透かし抽出回路３８と、エンファシス回路３９と、トランジェント判定回路４０と、映像信号データを出力する映像信号データ出力端子４１と、電子透かしデータを出力する電子透かしデータ出力端子４２とを備えている。
【００３２】
実施の形態３に係る電子透かし抽出装置においては、電子透かしデータが重畳され、ＶＴＲなどのアナログ記録が行われた映像信号をＹ信号（輝度信号）入力端子３１とＣ信号入力端子３２から入力し、Ａ／Ｄ変換器３３によって輝度信号をデジタル化する。一方、Ｃ信号を直交ＡＭ復調する復調器３４によって、Ｒ−Ｙ信号及びＢ−Ｙ信号の各コンポーネントに変換して、それぞれの信号をデジタル化するＡ／Ｄ変換器３５，３６によって、Ｒ−Ｙ信号及びＢ−Ｙ信号の２つの色差信号をデジタル化する。この各コンポーネントに変換して、ＶＴＲなどのアナログ記録が行われた映像信号は、周波数特性などの特性が劣化しているため、特性を補正する特性補正回路３７によって、映像の領域でアナログＶＴＲの持つ周波数特性の補正の処理をし、電子透かし抽出回路３８によって、著作権データなどの電子透かしデータを映像信号から抽出し、電子透かしデータ出力端子４２から出力する。また、抽出後の映像信号をコンポーネント化した処理と逆の処理を行う手段により映像信号データを変換し、変換された映像信号データを映像信号データ出力端子４１より出力する。
【００３３】
アナログＶＴＲの映像信号のうち輝度信号は、エンファシス処理及びクリッピング処理の後、ＦＭ変調されて、テープに記録される。再生系では、テープからの出力を増幅するヘッドアンプにより、再生信号を取り込み、電磁変換系の周波数特性を逆変換するためのイコライザによって、ほぼ、周波数特性を元に戻してＦＭ復調され、ディエンファシス処理を施して、再生の映像信号が生成される。エンファシス回路は、高周波数領域の周波数特性のゲインを０ｄＢよりも大きくしたものであったが、ディエンファシス回路は、エンファシス回路の逆特性を持ったものであり、アナログＶＴＲにおいては、エンファシス処理とディエンファシス処理で周波数特性は、０ｄＢでフラットな特性に戻るように構成されている。
【００３４】
アナログＶＴＲでは、イコライザによって電磁変換系の周波数特性を補正するが、このとき、電磁変換系の特性を必ずしも正確に補正できるとは限らない。例えば、テープ媒体の特性にもよるが、ＶＴＲに予め用意されている周波数特性の補正回路で、概ね補正されることが限度である。このような場合には、特許文献１に示されるように基準信号を利用して、特性を補正するという技術を採用することで性能を上げることが可能になる。すなわち、図９の特性補正回路３７により、線形性の劣化を、より忠実に復元し、映像信号を得ることができる。このような補正をすることで、微小な信号、すなわち、電子透かしデータの区別をすることも可能になり、図５に破線で示した閾値により、重畳信号を抽出することが可能になる。
【００３５】
特性補正により、閾値判別の精度を向上させるとともに、電子透かしデータの重畳が行われていない映像信号の部分を正確に把握できなければ、電子透かしデータは正しく抽出できない。これを行うために、アナログＶＴＲの再生信号のうち輝度信号に対して、図４（ａ）及び（ｂ）に示す周波数特性を持つ図３のようなデジタルフィルタによる処理を施す。このような処理を施された信号に、ホワイトクリップ処理やダーククリップ処理が施されて平坦なレベルに加工された箇所は、ほぼ、ホワイトクリップやダーククリップのレベルにまで、信号レベルが達している箇所である。言い換えれば、図１０に示されるように、映像信号の立上り部分であって、記録時に、ホワイトクリップレベルに達していた箇所は、ＶＴＲの再生信号での輝度信号レベルにおいても、ほとんどホワイトクリップレベルにまで達するものである（映像の持つ周波数分布によっては、ホワイトクリップレベルを突き抜けてしまうこともある）。従って、図１に示されるようなブロック構成で、電子透かしデータの重畳が行われていない箇所を抽出するには、図３に示される回路のエンファシス周波数特性を持つデジタルフィルタにより処理を施して、クリップレベル近辺でコンパレート処理を行えばよい。このようにすることで、電子透かしデータの重畳されていないトランジェント部を検出することができる。このトランジェント部の検出は、トランジェント判定回路４０により行われる。
【００３６】
特性補正処理を施すことは、精度向上の意味で重要ではあるが、本発明に必須ではなく、コンパレートレベルの微調整や、閾値の微調整を行うことで、代用させることは可能である。すなわち、例えば、映像信号の周波数特性が、高周波側で劣化しているような場合、重畳信号の波高値は、低くなっているので、閾値も小さな値とするように調整すればよい。一方、トランジェント部を検出するために、別の電子透かし重畳位置を表すデータ群を保持していても同様なことは、可能である。
【００３７】
また、エンファシス処理による周波数特性の変換はデジタルフィルタによって実現した場合を説明したが、ＦＦＴ（高速フーリエ変換）や逆ＦＦＴによって実現してもよい。
【００３８】
なお、上記説明においては、電子透かし抽出装置をすべてＨ／Ｗ構成で実現する場合を記載したが、同様の処理を、ソフトウエア処理によって実行しても、同じ効果を奏する。その際には、回路という実態ではなく、処理モジュールという実態となる。
【００３９】
また、Ａ／Ｄ変換とコンポーネント信号への変換の順序は、実施の形態３で説明された順序に限定されず、Ｙ信号とＣ信号をＡ／Ｄ変換器によってデジタル化したのち、デジタル処理によって、コンポーネント信号にしてもよい。
【００４０】
また、上記説明においては、映像信号処理装置の入力をＹ信号とＣ信号が別経路であるＳ端子のような場合を想定しているが、コンポジット信号を入力して輝度信号と色信号を分離するような輝度信号・色信号分理回路を有した構成にしても同様な効果を奏する。
【００４１】
実施の形態４．
実施の形態４の電子透かし抽出装置は、アナログＶＴＲの抵抗やコンデンサの特性ばらつきが若干あったときなどのために、ホワイトクリップのレベルより、数％下のレベルでコンパレートし、ダーククリップのレベルより、数％上のレベルでコンパレートする点が、上記実施の形態３の電子透かし抽出装置と相違する。実施の形態４の電子透かし抽出装置によれば、クリッピング処理の施されない部分をより確実に抽出することができる。これは、抽出したトランジェント部の判断領域を拡大することと等価であり、別の手法でも実現可能である。
【００４２】
図６の回路により、実施の形態４の機能を実現することができる。図６の回路の動作は、実施の形態２において説明した動作と同様である。その結果、例えば、図８に破線で描かれたように、トランジェント（図８の実線領域）の周辺の領域（図８の破線で囲われた領域）まで拡大したトランジェント部の抽出が可能になる。
【００４３】
なお、実施の形態２において、上記以外の点は、上記実施の形態１の場合と同じである。
【図面の簡単な説明】
【００４４】
【図１】本発明の実施の形態１に係る映像信号処理装置の構成を概略的に示すブロック図である。
【図２】（ａ）及び（ｂ）は、実施の形態１に係る映像信号処理装置におけるエンファシス処理及びクリッピング処理を説明するための波形図である。
【図３】実施の形態１に係る映像信号処理装置のエンファシス回路の構成を示すブロック図である。
【図４】（ａ）及び（ｂ）は、実施の形態１に係る映像信号処理装置のエンファシス回路の周波数特性を示す図である。
【図５】実施の形態１に係る映像信号処理装置により、電子透かしデータが重畳された重畳映像信号の波形図である。
【図６】本発明の実施の形態２に係る映像信号処理装置のトランジェント部の拡大を行うためのトランジェント判定回路の構成を示すブロック図である。
【図７】（ａ）から（ｄ）までは、実施の形態２に係る映像信号処理装置のトランジェント部の拡大を行うためのゲート処理を説明するための波形図である。
【図８】実施の形態２に係る映像信号処理装置においてトランジェント部を拡大した領域を映像画面として示す図である。
【図９】本発明の実施の形態３に係る電子透かし抽出装置の構成を概略的に示すブロック図である。
【図１０】実施の形態３に係る電子透かし抽出装置において再生信号にエンファシス処理を施した場合の波形図である。
【符号の説明】
【００４５】
１，３１  輝度（Ｙ）信号入力端子、  ２，３２  色（Ｃ）信号入力端子、  ３，３３  Ａ／Ｄ変換器、  ４，３４  復調器、  ５，３５  Ａ／Ｄ変換器、  ６，３６  Ａ／Ｄ変換器、  ７  特性検出回路、  ８  電子透かし重畳回路、  ９，３９  エンファシス回路、  １０，４０  トランジェント判定回路、  １１，４１  映像信号データ出力端子、  １２，１３  単位時間遅延回路、  １４  加算器、  １５  減算器、  １６，１７，１８  係数器、  １９  閾値処理回路、  ２０  遅延器、  ２１  フリップフロップ、  ３７  特性補正回路、  ３８  電子透かし抽出回路、  ４２  電子透かしデータ出力端子。
【図１】
2006229795.tif 000003
【図２】
2006229795.tif 000004
【図３】
2006229795.tif 000005
【図４】
2006229795.tif 000006
【図５】
2006229795.tif 000007
【図６】
2006229795.tif 000008
【図７】
2006229795.tif 000009
【図８】
2006229795.tif 000010
【図９】
2006229795.tif 000011
【図１０】
2006229795.tif 000012